(57)【要約】【解決手段】封緘部分に、再剥離性テープを、クラフトテープ等の梱包用テープを再貼着可能に貼り付けてあるダンボール箱。【効果】本発明によれば、ダンボール箱の封緘部に予め、再剥離可能な紙テープを貼り付けることにより、繰り返しダンボール箱が美観を保って使用でき、再利用のコストもかからない。その結果、廃棄物の削減が可能であり、更には環境負荷の低減ができる。【選択図】      図１
2004314981.tif 000002
【特許請求の範囲】
【請求項１】
封緘部分に、再剥離性テープを、クラフトテープ等の梱包用テープを再貼着可能に貼り付けてあるダンボール箱。
【請求項２】
再剥離性テープの剥離力が３〜８Ｎ／５０ｍｍであり、再剥離性が２〜８Ｎ／５０ｍｍである請求項１記載のダンボール箱。
【発明の詳細な説明】
【０００１】
【発明の属する技術分野】
本発明は、再梱包の容易なダンボール箱に関する。
【０００２】
【従来の技術】
多くの産業分野でダンボール箱が包装材料として使用されている。この場合、ダンボール箱を梱包する場合には、クラフトテープがその簡便さから一般的に使用されている。しかし、一般にダンボール箱は一回使用である。これは、クラフトテープにはシリコーンが非粘着性を付与する加工に多用されているので、離型性がよく、その上に更にテープを貼り付ける場合、十分な接着性能を得ることが難しく、このため封緘部のクラフトテープの上に封をすることが難しく、一度開封すると再度クラフトテープで梱包しようとする場合、残っているクラフトテープの影響で剥れやすく密閉できない欠点があった。これを解消するために貼り付いたテープを剥がそうとすると、ダンボール自体が破れ、外観が不良となってしまう上、コストがかかるため再利用があまり進んでいない。しかしながら、近年の環境問題への世論の高まりから再利用が必要になってきている。これは、コスト対策や自然破壊の防止にも有効な手段であると考えられる。
この場合、梱包用のクラフトテープ類を再貼着するため、ダンボール自体に離型処理する方法も考えられるが、塗工方法が限定され、工業的に不利である。
なお、本発明に関連する公知文献としては下記のものがある。
【０００３】
【特許文献１】
特公昭５２−４０９１８号公報（付加組成物）
【特許文献２】
特公平３−１９２６７号公報（クラフトテープ）
【０００４】
【発明が解決しようとする課題】
本発明は上記事情に鑑みなされたもので、梱包用テープの繰り返しの貼着が可能で、再梱包が容易であり、リサイクルが容易なダンボール箱を提供することを目的とする。
【０００５】
【課題を解決するための手段及び発明の実施の形態】
本発明は、上記目的を達成するため、封緘部分に、再剥離性テープを、クラフトテープ等の梱包用テープを再貼着可能に貼り付けてあるダンボール箱を提供する。この場合、再剥離性テープの剥離力が３〜８Ｎ／５０ｍｍであり、再剥離性が２〜８Ｎ／５０ｍｍであることが好ましい。
【０００６】
このように、ダンボール箱の封緘する部分に予め再剥離可能なテープを貼り付けておき、梱包する際にはその上に一般的な梱包用テープを貼り付けることで、ダンボール箱の再使用が容易になり環境負荷が軽減される。また、再利用したときの箱の美観維持が可能となる。工場間の部品搬送などで繰り返し使用するところでのコスト低減が図れる。
【０００７】
以下、本発明につき更に詳しく説明する。
本発明に係るダンボールは、封緘部分に、再剥離性テープを、クラフトテープ等の梱包用テープ類を再貼着可能になるように、予め貼り付けてあるもので、この場合、再剥離テープは、図１に示したように基材１の一面に離型層２が形成されていると共に、基材１の他面に粘着層３が形成されてなるものである。
【０００８】
この場合、基材としては、公知のテープに使用できる基材、例えばクラフト紙、ポリエチレンラミネート紙等の紙類、ポリプロピレン、ポリエチレンテレフタレートなどの合成樹脂から作られるフィルム類が用いられる。
【０００９】
離型層を形成する離型剤としては、硬化性シリコーン離型剤、長鎖アルキル変性アクリル樹脂、アルキッド樹脂等の非シリコーン系離型剤でもよく、形態も溶剤系でも水系でも無溶剤系でもよく、加工に有利なものでよい。この場合、再剥離可能なテープの剥離性が３〜８Ｎ／５０ｍｍであり、かつ再剥離性が２〜８Ｎ／５０ｍｍ、特に３〜８Ｎ／５０ｍｍであればよい。なお、剥離性（力）とは、再剥離テープの剥離力を示し、具体的には再剥離テープの貼着面からテープを剥離するときの力であり、再剥離性とは、再剥離テープの剥離面に一般の粘着テープを貼付けて、一定時間後に剥離したときの剥離力を示すものであり、一般に剥離力＞再剥離力である。これら剥離性（力）、再剥離性の測定方法は、一般的な剥離試験に準ずる。
剥離性が小さすぎると、それよりも小さくなる再剥離性能が出ないため不都合となり、大きすぎるとダンボールへの粘着性が大きくなり、作業上不都合が生じる場合がある。再剥離性が小さすぎると梱包不良となり、大きすぎると作業上不利益となるとともに、剥離性も大きくなければならないので、上記した不都合が生じる場合がある。
【００１０】
上記基材に上記離型剤を用いて離型層を形成する場合、一般的に用いられる、塗工液の粘度、塗工速度等を考慮した通常行われている塗工方法、カレンダー塗工、グラビアコーター、エアーナイフコーター、ロールコーター、ワイヤーバーなどの各種コーターを用いた塗工、スプレー塗工等を利用することができる。処理剤組成物（離型剤）の塗工量は固形分として０．１ｇ／ｍ２以上、好ましくは０．３〜１ｇ／ｍ２の範囲が好適である。０．１ｇ／ｍ２未満では良好な離型性を維持することが難しくなる場合があり、１ｇ／ｍ２を超えても性能向上は小さく、コスト上不利となる場合がある。塗工後、乾燥機を通過させて加熱乾燥させて離型層を得る。加熱乾燥の条件は、例えば１２０℃以上の温度で１０秒以上の条件が一般的である。
【００１１】
その後、粘着加工を施し、テープ化したものを用いることができるが、粘着加工（粘着層の形成）に用いる粘着剤としては、公知のものでよく、例えば溶剤型のゴム系粘着剤やアクリル系粘着剤、又はホットメルトタイプの各種粘着剤を挙げることができる。なお、粘着層の厚さは、約２０〜５０μｍが好ましい。
【００１２】
本発明のダンボール箱は、図１，２に示したように、その封緘部縁部に沿って、上記再剥離テープの粘着層を貼着しておくもので、ダンボール箱４の封緘に当たっては、その封緘部を閉じ、通常の梱包用テープ５を上記再剥離性テープ１０の離型層２の上から貼着し、ダンボール箱４の封緘を行うもので、これによりダンボールがしっかりと封緘される。この場合、この梱包用テープの接着力は、通常２〜８Ｎ／５０ｍｍであり、また特に再剥離テープの剥離力が３〜８Ｎ／５０ｍｍ、再剥離性が２〜８Ｎ／５０ｍｍに形成されている場合、梱包用テープが再剥離テープの上から良好に接着されると共に、梱包用テープを引き剥がす場合にスムーズに梱包用テープを剥離することができ、しかも梱包用テープを一度剥離した上から、再度新たな梱包用テープを再剥離テープに貼着した場合も、良好な接着がなされるものである。
【００１３】
【実施例】
以下、実施例と比較例を示し、本発明を更に具体的に説明するが、本発明は下記の実施例に制限されるものではない。
【００１４】
［実施例１］
信越化学工業（株）製の溶剤型シリコーンＫＳ−３５０２を１００重量部（シリコーン分３０重量部）、トルエン５００重量部を混合して３０分間撹拌し、均一に溶解した。これに対して信越化学工業（株）製の白金触媒ＣＡＴ−ＰＬ−５０Ｔを１重量部配合し、よく混合したものをポリエチレンラミネートしたクラフト紙にワイヤーバーを用いて０．４ｇ／ｍ２の塗布量となるように塗工し、１２０℃で２０秒間乾燥し、離型紙を作成した。
【００１５】
室温１日経時後、そのシリコーン処理面の反対面にゴム系溶剤型粘着剤ＢＰＳ−２４１１（東洋インキ製造（株）製）を乾燥後２５ｇ／ｍ２になるよう塗布し、１１０℃で１分間加熱し、乾燥後、巻き取り、５０ｍｍ巾の再剥離性テープを作成した。
【００１６】
なお、離型層の剥離力は、６．０Ｎ／５０ｍｍであった。
このテープをダンボール箱の封緘部の両側に貼り付けた。その上に市販のクラフトテープ（Ｎｏ．３１５（ニチバン（株）製））を貼り付け、梱包した。なお、このクラフトテープの表面はシリコーン加工され、その再剥離力は、３．５Ｎ／５０ｍｍであった。
その後、再び市販のクラフトテープを貼り付けて、一定時間（室温で２４時間）後、剥離させたときの再剥離力も３．５Ｎ／５０ｍｍであった。また、上記再剥離性テープをダンボール箱に貼った後、市販のクラフトテープでダンボール箱の梱包を行っても、ダンボールが跳ねることなくしっかり梱包することができた。
【００１７】
なお、剥離力の測定方法は、下記で行った。
剥離力
組成物を熱風循環式乾燥機で１４０℃、３０秒間加熱処理して評価用試料を作成し、その硬化皮膜表面にアクリル系溶剤型粘着剤（オリバインＢＰＳ−５１２７（東洋インキ製造（株）製））を塗布して１００℃で３分間熱処理し、次いで、この処理面に坪量６４ｇ／ｍ２の上質紙を貼り合わせて２ｋｇローラーで１往復圧着し、２５℃で２０時間エージングさせた。この試料を５ｃｍ幅に切断し、引っ張り試験機を用いて１８０°の角度で剥離速度０．３ｍ／分で貼り合わせ紙を引っ張り、剥離するのに要する力（Ｎ）を測定した。測定はオートグラフＤＳＣ−５００（島津製作所（株）製）を使用した。
【００１８】
［比較例１］
実施例１で作成したテープの代わりに市販のクラフトテープ（Ｎｏ．３１５（ニチバン（株）製））をダンボール箱の封緘部の両側に貼り付けた。その上に同じクラフトテープで封をしようとしたが、ダンボールが跳ねてしまいしっかり封ができず梱包不良となった。
【００１９】
【発明の効果】
本発明によれば、ダンボール箱の封緘部に予め、再剥離可能な紙テープを貼り付けることにより、繰り返しダンボール箱が美観を保って使用でき、再利用のコストもかからない。その結果、廃棄物の削減が可能であり、更には環境負荷の低減ができる。
【図面の簡単な説明】
【図１】本発明に用いる再剥離性テープの一例をダンボール箱に貼り付けた状態の概略断面図である。
【図２】本発明に用いる再剥離性テープの一例をダンボール箱に貼り付けた状態の斜視図である。
【符号の説明】
１  基材
２  離型層
３  粘着層
４  ダンボール箱
５  梱包用テープ
１０  再剥離性テープ
【図１】
2004314981.tif 000003
【図２】
2004314981.tif 000004